(57)【要約】【課題】静止画撮影時に撮影者の入力に対して最適なレンズ制御を行い、ボケた画像が取り込まれないようにする。【解決手段】被写体を撮影することにより撮像手段１０６から得られる映像信号の所定の周波成分を焦点電圧として取り出し、この焦点電圧を最大にするように焦点調節部材１０５を移動手段１１０にて光軸方向に移動させて焦点調節を行う。第一の入力状態とこの第一の状態を介して設定される第二の入力状態を含む二つの入力状態を検出できる入力手段１１４を備え、第一の入力状態が検出された場合には、第一の入力状態に対するレンズ制御を行い、第二の入力状態が検出された場合には、第一の入力状態が検出されてから第二の入力状態が検出されるまでの時間に応じて、第一の入力状態に対するレンズ制御を有効又は無効に切り換える手段を設ける。【選択図】　　　　図１
2004077530.tif 000002
【特許請求の範囲】
【請求項１】
被写体を撮影することにより撮像手段から得られる映像信号の所定の周波成分を焦点電圧として取り出し、この焦点電圧を最大にするように焦点調節部材を移動手段にて光軸方向に移動させて焦点調節を行う焦点調節装置であって、
第一の入力状態とこの第一の状態を介して設定される第二の入力状態を含む二つの入力状態を検出できる入力手段を備え、
第一の入力状態が検出された場合には、第一の入力状態に対するレンズ制御を行い、
第二の入力状態が検出された場合には、第一の入力状態が検出されてから第二の入力状態が検出されるまでの時間に応じて、第一の入力状態に対するレンズ制御を有効又は無効に切り換える手段を設けたことを特徴とする焦点調節装置。
【請求項２】
請求項１に記載の焦点調節装置において、
第一の入力状態が検出された場合には、そのときのレンズ位置を保存するとともに、第一の入力状態に対するレンズ制御を行い、
第二の入力状態が検出された場合には、第一の入力状態が検出されてから第二の入力状態が検出されるまで所定時間経過していない場合には、前記レンズ位置にレンズを移動することを特徴とする焦点調節装置。
【請求項３】
請求項１又は２に記載の焦点調節装置において、
第一の入力状態が検出された場合には、そのときのレンズ位置を保存するとともに、第一の入力状態に対するレンズ制御を行い、
第二の入力状態が検出された場合には、第一の入力状態が検出されてから第二の入力状態が検出されるまで所定時間経過していない場合には、前記レンズ位置にレンズを移動し、第一の入力状態が検出されてから第二の入力状態が検出されるまで所定時間経過している場合には、第二の入力状態が検出されたレンズ位置でレンズを停止することを特徴とする焦点調節装置。
【請求項４】
被写体を撮影することにより撮像手段から得られる映像信号の所定の周波成分を焦点電圧として取り出し、この焦点電圧を最大にするように焦点調節部材を移動手段にて光軸方向に移動させて焦点調節を行う焦点調節方法であって、
第一の入力状態を検出する工程と、
第一の入力状態を介して第二の入力状態を検出する工程と、
第一の入力状態が検出された場合には、第一の入力状態に対するレンズ制御を行う工程と、
第二の入力状態が検出された場合には、第一の入力状態が検出されてから第二の入力状態が検出されるまでの時間に応じて、第一の入力状態に対するレンズ制御を有効又は無効に切り換える工程と、を有することを特徴とする焦点調節方法。
【請求項５】
請求項４に記載の焦点調節方法において、
第一の入力状態が検出された場合には、そのときのレンズ位置を保存するとともに、第一の入力状態に対するレンズ制御を行う工程と、
第二の入力状態が検出された場合には、第一の入力状態が検出されてから第二の入力状態が検出されるまで所定時間経過していない場合には、前記レンズ位置にレンズを移動する工程と、を有することを特徴とする焦点調節方法。
【請求項６】
請求項４又は５に記載の焦点調節方法において、
第一の入力状態が検出された場合には、そのときのレンズ位置を保存するとともに、第一の入力状態に対するレンズ制御を行う工程と、
第二の入力状態が検出された場合には、第一の入力状態が検出されてから第二の入力状態が検出されるまで所定時間経過していない場合には、前記レンズ位置にレンズを移動し、第一の入力状態が検出されてから第二の入力状態が検出されるまで所定時間経過している場合には、第二の入力状態が検出されたレンズ位置でレンズを停止する工程と、を有することを特徴とする焦点調節方法。
【発明の詳細な説明】
【０００１】
【発明の属する技術分野】
本発明は、各種のビデオカメラ等に用いられる自動焦点装置に関するものである。
【０００２】
【従来の技術】
今日のビデオカメラのオートフォーカス装置において、撮像素子等により被写体像を光電変換して得られた映像信号中から、画面の鮮鋭度を検出してＡＦ評価値とする。そして、そのＡＦ評価値が最大となるようにフォーカスレンズ位置を制御して、焦点調節を行うようにした方式が主流である。
【０００３】
ＡＦ評価値としては、一般にある帯域のバンドパスフィルターにより抽出された映像信号の高周波成分のレベルを用いている。これは、通常の被写体像を撮影した場合、焦点が合ってくるのに従ってその値は大きくなり、そのレベルが最大になる点を合焦位置とする。
【０００４】
実際のビデオカメラでは撮影前のモニタ中には滑らかに合焦を維持するようにフォーカスレンズを制御し、レリーズスイッチが押されたら、高速で合焦させるようにフォーカスレンズを制御し、ＡＦ制御を行うようにしている。
【０００５】
【発明が解決しようとする課題】
しかしながら、静止画撮影のためのレリーズスイッチが半押し状態と全押し状態を持つものでは、撮影者がレリーズスイッチを押すタイミングでボケた画像が記録されてしまうことがある。一方、そのようなボケ画像を回避しようとすると、ＡＦの合焦時間が遅くなるという問題があった。
【０００６】
本発明はかかる実情に鑑み、特に静止画撮影時に撮影者の入力に対して最適なレンズ制御を行い、ボケた画像が取り込まれないようにすることを目的とする。
【０００７】
【課題を解決するための手段】
本発明の焦点調節装置は、被写体を撮影することにより撮像手段から得られる映像信号の所定の周波成分を焦点電圧として取り出し、この焦点電圧を最大にするように焦点調節部材を移動手段にて光軸方向に移動させて焦点調節を行う焦点調節装置であって、第一の入力状態とこの第一の状態を介して設定される第二の入力状態を含む二つの入力状態を検出できる入力手段を備え、第一の入力状態が検出された場合には、第一の入力状態に対するレンズ制御を行い、第二の入力状態が検出された場合には、第一の入力状態が検出されてから第二の入力状態が検出されるまでの時間に応じて、第一の入力状態に対するレンズ制御を有効又は無効に切り換える手段を設けたことを特徴とする。
【０００８】
また、本発明の焦点調節装置において、第一の入力状態が検出された場合には、そのときのレンズ位置を保存するとともに、第一の入力状態に対するレンズ制御を行い、第二の入力状態が検出された場合には、第一の入力状態が検出されてから第二の入力状態が検出されるまで所定時間経過していない場合には、前記レンズ位置にレンズを移動することを特徴とする。
【０００９】
また、本発明の焦点調節装置において、第一の入力状態が検出された場合には、そのときのレンズ位置を保存するとともに、第一の入力状態に対するレンズ制御を行い、第二の入力状態が検出された場合には、第一の入力状態が検出されてから第二の入力状態が検出されるまで所定時間経過していない場合には、前記レンズ位置にレンズを移動し、第一の入力状態が検出されてから第二の入力状態が検出されるまで所定時間経過している場合には、第二の入力状態が検出されたレンズ位置でレンズを停止することを特徴とする。
【００１０】
また、本発明の焦点調節方法は、被写体を撮影することにより撮像手段から得られる映像信号の所定の周波成分を焦点電圧として取り出し、この焦点電圧を最大にするように焦点調節部材を移動手段にて光軸方向に移動させて焦点調節を行う焦点調節方法であって、第一の入力状態を検出する工程と、第一の入力状態を介して第二の入力状態を検出する工程と、第一の入力状態が検出された場合には、第一の入力状態に対するレンズ制御を行う工程と、第二の入力状態が検出された場合には、第一の入力状態が検出されてから第二の入力状態が検出されるまでの時間に応じて、第一の入力状態に対するレンズ制御を有効又は無効に切り換える工程と、を有することを特徴とする。
【００１１】
また、本発明の焦点調節方法において、第一の入力状態が検出された場合には、そのときのレンズ位置を保存するとともに、第一の入力状態に対するレンズ制御を行う工程と、第二の入力状態が検出された場合には、第一の入力状態が検出されてから第二の入力状態が検出されるまで所定時間経過していない場合には、前記レンズ位置にレンズを移動する工程と、を有することを特徴とする。
【００１２】
また、本発明の焦点調節方法において、第一の入力状態が検出された場合には、そのときのレンズ位置を保存するとともに、第一の入力状態に対するレンズ制御を行う工程と、第二の入力状態が検出された場合には、第一の入力状態が検出されてから第二の入力状態が検出されるまで所定時間経過していない場合には、前記レンズ位置にレンズを移動し、第一の入力状態が検出されてから第二の入力状態が検出されるまで所定時間経過している場合には、第二の入力状態が検出されたレンズ位置でレンズを停止する工程と、を有することを特徴とする。
【００１３】
本発明によれば上記構成の自動焦点調節装置において、静止画撮影のためのレリーズスイッチに応じて、半押しを検出したら直ちにＡＦサーチ動作を開始することができるのでＡＦの合焦時間を短縮することができる。一方、半押し後所定時間以内に全押しが検出された場合は、元々全押ししたかったものと見なしＡＦ開始時に保存したフォーカスレンズ位置へフォーカスレンズを戻す。それにより全押し途中の半押し検出により、誤ってＡＦサーチ動作を行い、サーチ中のボケた画像が取り込まれることがなくなる。
【００１４】
【発明の実施の形態】
以下、図面に基き、本発明による好適な実施の形態を説明する。
ここでまず、本発明に係るビデオカメラの構成例を説明する。図１において、１０１は固定の第１群レンズ、１０２は変倍を行う変倍レンズ、１０３は絞り、１０４は固定の第２群レンズ、１０５は変倍に伴う焦点面の移動を補正する機能とピント合わせの機能とを兼ね備えたフォーカスコンペレンズ（以下、フォーカスレンズという）である。又、１０６は撮像素子であるＣＣＤ、１０７はＣＣＤ１０６の出力をサンプリングし、ゲイン調整するＣＤＳ／ＡＧＣである。１０８はカメラ信号処理回路であり、後述の静止画記録装置１０９に対応した信号に対してＣＤＳ／ＡＧＣ１０７からの出力信号を処理する。１０９は静止画記録装置であり、半導体メモリが使われている。
【００１５】
１１０はフォーカスレンズ１０５を移動させるためのアクチュエータであるモータ、１１１はモータ１１０を後述のＡＦマイコン１１３からの信号により駆動するドライバである。１１２はＣＤＳ／ＡＧＣ１０７の出力信号中から焦点検出に用いられる高周波成分を抽出するＡＦ評価値処理回路、１１３はＡＦ評価値処理回路１１２の出力信号に基いてドライバ１１０を制御し、フォーカスレンズを駆動するとともに、静止画レリーズ１１４の入力に応じてＡＦ制御を切り換えるＡＦマイコンである。
【００１６】
１１４は静止画レリーズスイッチであり、撮影者の押し込み方に応じて２つの状態（半押し、全押し）を検出できる構成となっている。この場合、レリーズスイッチ１１４を押し込んでいくと、必ず第１の状態（以後、半押しという）が始めに検出され、次に第２の状態（以後、全押しという）が検出されるようになっている。１１５はモニタ装置であり、カメラ信号処理１０８の出力信号が表示され、撮影シーンをモニタするために用いられる。
【００１７】
図１のように構成されたカメラシステムに於いて、ＡＦマイコン１１３は、通常モニタしている画像のピントを合わせるため、ＡＦ評価値処理回路１１２の出力信号レベルが最大となるようにフォーカスレンズ１０５を移動させ自動焦点調節を行っている（図２参照）。そしてレリーズスイッチ１１４の入力により、半押しが検出された場合は静止画ＡＦ動作をして合焦点を探し、合焦点に停止させる。一方、全押しが検出された場合はフォーカスレンズを止めて、静止画記録装置１０９に記録の命令を出す。そこで、撮影者はＡＦを合わせてから撮影したい場合は、レリーズスイッチを半押しの状態でＡＦが合焦するのを待てば良いし、直ちに撮影したい場合は全押しまで押し込めば良い。
【００１８】
次にＡＦマイコン１１３でモニタ用に行われるＡＦ制御について、図３〜図７を用いて詳しく説明する。
図３でメインのＡＦ処理を説明する。Ｓｔｅｐ３０１は処理の開始を示している。Ｓｔｅｐ３０２で微小駆動動作を行い、合焦か否かを、また合焦でないならどちらの方向に合焦点があるかを判別する。この場合の詳細な動作については図４で説明する。
【００１９】
Ｓｔｅｐ３０３において、Ｓｔｅｐ３０２で合焦と判別された場合はＳｔｅｐ３０９へ進み、合焦・再起動判定処理を行う。Ｓｔｅｐ３０２で合焦と判別されなかった場合はＳｔｅｐ３０４へ進む。Ｓｔｅｐ３０４において、Ｓｔｅｐ３０２で方向判別ができている場合はＳｔｅｐ３０５へ進み、山登り処理を行う。Ｓｔｅｐ３０２で方向判別ができていない場合はＳｔｅｐ３０２へ戻り、微小駆動動作を継続する。Ｓｔｅｐ３０５では、評価値が大きくなる方向へ高速でフォーカスレンズを山登り駆動する。この場合の詳細な動作については図６で説明する。
【００２０】
Ｓｔｅｐ３０６において、Ｓｔｅｐ３０５で評価値がピークを越えたと判別された場合はＳｔｅｐ３０７へ進む。Ｓｔｅｐ３０５で評価値がピークを越えたと判別されない場合はＳｔｅｐ３０５へ戻り、山登り動作を継続する。Ｓｔｅｐ３０７では、山登り駆動中に評価値がピークのフォーカスレンズ位置にフォーカスレンズを戻す。Ｓｔｅｐ３０８において、Ｓｔｅｐ３０７でピークのフォーカスレンズ位置に戻った場合はＳｔｅｐ３０２へ戻り、再び微小駆動動作を行う。Ｓｔｅｐ３０７でピークに戻っていない場合はＳｔｅｐ３０７へ戻り、ピークに戻す動作を継続する。
【００２１】
次に、Ｓｔｅｐ３０９からの合焦・再起動判定処理について説明する。Ｓｔｅｐ３０９では合焦点におけるＡＦ評価値を保持する。Ｓｔｅｐ３１０では最新のＡＦ評価値を取り込む。Ｓｔｅｐ３１１では、Ｓｔｅｐ３０９で保持したＡＦ評価値と最新のＡＦ評価値とを比較し、ＡＦ評価値の変動が大きいか判定する。ＡＦ評価値が大きく変動していればＳｔｅｐ３０２へ進み、微小駆動動作を再開する。ＡＦ評価値が変動していなければＳｔｅｐ３１２へ進む。Ｓｔｅｐ３１２では、フォーカスレンズを停止しＳｔｅｐ３１０へ戻り、合焦・再起動判定処理を継続する。
【００２２】
次に、微小駆動動作について図４に基き説明する。Ｓｔｅｐ４０１は処理の開始を示している。Ｓｔｅｐ４０２ではＡＦ評価値処理回路からＡＦ評価値を取り込む。Ｓｔｅｐ４０３において、Ｓｔｅｐ４０２で取り込んだ評価値が前回の評価値より小さければＳｔｅｐ４０４へ進む。Ｓｔｅｐ４０２で取り込んだ評価値が前回の評価値より大きければＳｔｅｐ４０５へ進む。Ｓｔｅｐ４０４では前回の逆方向に所定量フォーカスレンズを駆動する。一方、Ｓｔｅｐ４０５では前回の順方向に所定量フォーカスレンズを駆動する。Ｓｔｅｐ４０６においては、所定回数連続して合焦方向と判断される方向が同一であれば、Ｓｔｅｐ４１０へ進み、所定回数連続して同一方向に進んでいなければ、Ｓｔｅｐ４０７へ進む。
【００２３】
Ｓｔｅｐ４０７において、所定回数フォーカスレンズが同一エリアで往復を繰り返していれば、Ｓｔｅｐ４０９へ進む。所定回数フォーカスレンズが同一エリアで往復を繰り返していなければ、Ｓｔｅｐ４０８へ進み、今回の処理を終了する。Ｓｔｅｐ４１０では方向判別できたとして、Ｓｔｅｐ４０８へ進み、処理を終了して山登り駆動へ移行する。Ｓｔｅｐ４０９では合焦判別できたものとして、Ｓｔｅｐ４０８へ進み、処理を終了して再起動判定へ移行する。
【００２４】
図５は、上述したフォーカスレンズ動作の時間経過を示している。ここで、Ａの間にＣＣＤに蓄積された電荷に対する評価値Ａが時間ＴＡで取り込まれ、Ｂの間にＣＣＤに蓄積された電荷に対する評価値Ｂが時間ＴＢで取り込まれる。時間ＴＢでは評価値ＡおよびＢを比較し、Ａ＜Ｂであればそのまま順方向に移動し、一方、Ａ＞Ｂであれば逆方向にする。
【００２５】
次に、山登り駆動動作について図６を用いて説明する。Ｓｔｅｐ６０１は処理の開始を示している。Ｓｔｅｐ６０２ではＡＦ評価値処理回路からＡＦ評価値を取り込む。Ｓｔｅｐ６０３において、Ｓｔｅｐ６０２で取り込んだ評価値が前回の評価値より大きければ、Ｓｔｅｐ６０４へ進む。Ｓｔｅｐ６０２で取り込んだ評価値が前回の評価値より小さければ、Ｓｔｅｐ６０６へ進む。Ｓｔｅｐ６０４では前回の順方向に所定の速度でフォーカスレンズを駆動し、Ｓｔｅｐ６０５へ進み今回の処理を終わる。一方、Ｓｔｅｐ６０６において、評価値がピークを越えて減っていなければ、Ｓｔｅｐ６０７へ進む。評価値がピークを越えて減っていれば、Ｓｔｅｐ６０５へ進み、処理を終了して微小駆動へ移行する。Ｓｔｅｐ６０７では、前回と逆方向に所定の速度でフォーカスレンズを駆動し、Ｓｔｅｐ６０５へ進み、今回の処理を終わる。
【００２６】
図７に基き、上述のフォーカスレンズ動作を説明する。ここで、Ａはピークを越えて減少しているので、合焦点があるとして山登り動作を終了し、微小駆動動作に移行する。一方、Ｂはピークが無く減少しているので方向を間違えたものとして反転し、山登り動作を続ける。
【００２７】
以上説明したように、再起動判定→微小駆動→山登り駆動→微小駆動→再起動判定を繰り返しながら、フォーカスレンズを移動させる。そしてＡＦ評価値を常に最大にするようにカメラＡＦマイコン１１３が制御していて、モニタ画面の合焦状態を維持する。
【００２８】
一方、静止画撮影時のＡＦ動作の一例によれば、静止画撮影のためのレリーズスイッチに応じて、その時の位置でそのままフォーカスレンズを停止するか、一度サーチを行ってピーク位置に止めるかのどちらかを行う。この動作例について図８に基き説明する。この処理もＡＦマイコン１１３で処理される。Ｓｔｅｐ８０１は処理の開始を表している。Ｓｔｅｐ８０２は既に説明したモニタＡＦ処理である。
【００２９】
Ｓｔｅｐ８０３でレリーズスイッチ１１４を監視し、全押しされていればＳｔｅｐ８０８以降の処理へ移動し、Ｓｔｅｐ８０８でフォーカスレンズを停止して終了する。全押しされていなければ、Ｓｔｅｐ８０４へ進む。Ｓｔｅｐ８０４で半押しされているかどうか判定し、半押しされていればＳｔｅｐ８０５へ進む。Ｓｔｅｐ８０５では所定時間半押しが続いているか（撮影者が本当に半押ししようとしているのか、それとも全押ししようとしている途中なのか）を判定し、続いていればＳｔｅｐ８０６へ進み、静止画ＡＦ処理を実行する。一方、半押しされていない、あるいは所定時間続いていない時はＳｔｅｐ８０２へ戻り、モニタＡＦ処理を継続する。Ｓｔｅｐ８０７では静止画ＡＦ処理で合焦点が検出されたかどうか判別し、検出が終わっていればＳｔｅｐ８０８へ進み、ＡＦを停止させて処理を終わる。
【００３０】
次に図９の処理は、図８のＳｔｅｐ８０６の静止画ＡＦ処理を説明するものである。Ｓｔｅｐ９０１は処理の開始を表している。Ｓｔｅｐ９０２ではフォーカスレンズが停止しているかどうか判定する。Ｓｔｅｐ９０２でフォーカスレンズが停止していればＳｔｅｐ９０３へ進む。Ｓｔｅｐ９０３ではフォーカスレンズを至近側へ駆動開始した後、Ｓｔｅｐ９０４へ進み、今回の処理を終了する。
【００３１】
Ｓｔｅｐ９０２でフォーカスレンズが移動していればＳｔｅｐ９０５へ進み、フォーカスレンズが至近側へ移動しているか判定する。Ｓｔｅｐ９０５でフォーカスレンズが至近側へ移動している場合はＳｔｅｐ９０６へ進む。Ｓｔｅｐ９０６ではＡＦ評価値を監視し、減少しているようであればＳｔｅｐ９０７へ移動する。Ｓｔｅｐ９０７ではフォーカスレンズを無限側へ駆動開始した後、Ｓｔｅｐ９０４へ進み、今回の処理を終了する。Ｓｔｅｐ９０６でＡＦ評価値が減少していなければＳｔｅｐ９０４へ進み、今回の処理を終了する。
【００３２】
Ｓｔｅｐ９０５でフォーカスレンズが無限側へ移動している場合はＳｔｅｐ９０８へ進む。Ｓｔｅｐ９０８でＡＦ評価値の変化を監視し、ＡＦ評価値がピークを越えていればＳｔｅｐ９０９へ移動する。Ｓｔｅｐ９０９ではＳｔｅｐ９０８でＡＦ評価値のピークを検出したフォーカスレンズ位置へフォーカスレンズを移動して停止させ、Ｓｔｅｐ９０４へ進み、静止画ＡＦ処理を終了する。Ｓｔｅｐ９０８でピークを越えていなければ、Ｓｔｅｐ９０４へ、進み今回の処理を終了する。このようにして高速にＡＦ評価値の頂点を見つけることができる。
【００３３】
このように撮影前のモニタ中には、滑らかに合焦を維持するようにフォーカスレンズ制御する。この場合、レリーズスイッチが押されたら、高速で合焦させるようにフォーカスレンズを制御し、それぞれの場合に適したＡＦ制御を行っている。
【００３４】
ここで、静止画撮影のためのレリーズスイッチに応じて、全押しは半押しを介さないと検出されない。そのため半押しを検出して直ちにＡＦサーチ動作を開始してしまうと、直後に全押しされた場合にボケた画像が記録されてしまう。そこで半押しを検出して所定時間待って、全押しされないことを確認してからＡＦサーチ動作を開始すればよいが、そのままでは半押しを検出して直ぐＡＦサーチ動作ができないため、ＡＦの合焦時間が遅くなる。
【００３５】
さて、本発明によるカメラＡＦマイコンの制御について、図１０を用いて詳しく説明する。この処理はＡＦマイコン１１３で処理される。Ｓｔｅｐ１００１は処理の開始を表している。Ｓｔｅｐ１００２は前述したモニタＡＦ処理である。Ｓｔｅｐ１００３でレリーズスイッチ１１４を監視し、半押しされていなければＳｔｅｐ１００２へ戻り、モニタＡＦ処理を継続する。半押されていればＳｔｅｐ１００４以降の処理へ移動し、Ｓｔｅｐ１００４で現在のフォーカスレンズ位置をマイコン内のメモリに記憶する。
【００３６】
次にＳｔｅｐ１００５では既に説明した静止画ＡＦ処理を実行する。Ｓｔｅｐ１００６では全押しされているかどうか判定し、全押しされていなければＳｔｅｐ１００７へ進む。Ｓｔｅｐ１００５で合焦点が検出されているかどうか判断し、検出されていなければ、Ｓｔｅｐ１００５へ戻り、静止画ＡＦ処理を継続する。合焦点が検出されていれば、Ｓｔｅｐ１００８へ進み、ＡＦ処理を停止する。
【００３７】
Ｓｔｅｐ１００６で全押しされた場合は、Ｓｔｅｐ１０１０へ進み、半押し後予め決められている所定時間経過しているかどうか判定する。この所定時間は、全押ししようとして押した場合に、どの程度の時間が半押しとして検出されるかをレリーズスイッチによって実験により決めている。所定時間以内であれば元々全押ししたかったものとし、レリーズスイッチを押し始めた時のフォーカスレンズ位置が最適であるので、マイコン内に記憶してあるフォーカスレンズ位置へフォーカスレンズを戻す。一方、所定時間以上経過して全押しされた場合は、現在の画像が取り込みたいものとし、現在のフォーカスレンズ位置にフォーカスレンズを停止させる。
【００３８】
このように静止画撮影のためのレリーズスイッチに応じて、半押しを検出したら直ちにＡＦサーチ動作を開始することができるので、ＡＦの合焦時間を短縮することができる。一方、半押し後所定時間以内に全押しが検出された場合は、元々全押ししたかったものと判断し、ＡＦ開始時に保存したフォーカスレンズ位置へフォーカスレンズを戻す。それにより全押し途中の半押しの検出により、誤ってＡＦサーチを行い、サーチ中のボケた画像が取り込まれることがなくなる。
【００３９】
【発明の効果】
以上説明したように本発明によれば、静止画撮影のためのレリーズスイッチに応じて直ちに静止画ＡＦ動作を開始するため、ＡＦの起動が早くなり、ＡＦの合焦時間を短縮することができる。一方、所定時間以内に全押しを検出した場合は、サーチ開始位置へフォーカスレンズを戻すので、始めから全押ししようとしたのに、レリーズスイッチの構造上始めに半押しが検出されるためにフォーカスレンズが動いてしまい、ボケた画が取り込まれることがなくなる。したがって、つねに適正画像を記録することができるとともに、撮影時間を有効に短縮することができる。
【図面の簡単な説明】
【図１】ビデオカメラの構成例を説明するブロック図である。
【図２】自動焦点調節におけるフォーカスレンズ位置と焦点電圧レベルとの関係を示す図である。
【図３】自動焦点調節におけるメインのＡＦ処理に係るフローチャートである。
【図４】自動焦点調節における微小駆動動作に係るフローチャートである。
【図５】自動焦点調節におけるフォーカスレンズ動作の経過時間を示す図である。
【図６】自動焦点調節における山登り駆動動作に係るフローチャートである。
【図７】自動焦点調節におけるフォーカスレンズ位置と評価値との関係を示す図である。
【図８】静止画撮影時のＡＦ動作に係るフローチャートである。
【図９】静止画ＡＦ処理に係るフローチャートである。
【図１０】本発明における静止画撮影時のＡＦ動作に係るフローチャートである。
【符号の説明】
１０１　　第１群レンズ
１０２　　変倍レンズ
１０３　　絞り
１０４　　第２群レンズ
１０５　　フォーカスレンズ
１０６　　ＣＣＤ
１０７　　ＣＤＳ／ＡＧＣ
１０８　　カメラ信号処理回路
１０９　　静止画記録装置
１１０　　モータ
１１１　　ドライバ
１１２　　ＡＦ評価値処理回路
１１３　　ＡＦマイコン
１１４　　静止画レリーズスイッチ
１１５　　モニタ装置
【図１】
2004077530.tif 000003
【図２】
2004077530.tif 000004
【図３】
2004077530.tif 000005
【図４】
2004077530.tif 000006
【図５】
2004077530.tif 000007
【図６】
2004077530.tif 000008
【図７】
2004077530.tif 000009
【図８】
2004077530.tif 000010
【図９】
2004077530.tif 000011
【図１０】
2004077530.tif 000012